【手続補正書】
【提出日】平成18年5月19日(2006.5.19)
【手続補正１】
【補正対象書類名】特許請求の範囲
【補正対象項目名】全文
【補正方法】変更
【補正の内容】
【特許請求の範囲】
【請求項１】
メモリ（３２）を有する媒体（２０）に帯びさせた内容に注釈をつける方法であって、
（ａ）  前記媒体の上に帯びさせた前記内容を表すデータを取得するステップ、
（ｂ）  前記媒体の上に帯びさせた前記内容を表す前記データを前記媒体の前記メモリ内に保存するステップ、
（ｃ）  前記メモリ内に保存された前記データを、前記媒体から遠隔の位置に運ぶステップ、
（ｄ）  前記遠隔の位置から注釈データを取得するステップ、および
（ｅ）  遠隔的に取得した前記注釈データを前記メモリ内に保存するステップ
からなる方法。
【請求項２】
内容を帯びさせた複数の媒体に注釈をつける方法であって、
（ａ）  メモリを有するトランスポンダーを前記複数の媒体の中の各々の１つの媒体に結合するステップ、
（ｂ）  前記複数の媒体の上に帯びさせた前記内容を表すデータを取得するステップ、
（ｃ）  各媒体の上に帯びさせた前記内容を表すデータを、その媒体に結合した前記トランスポンダーの前記メモリ内に保存するステップ、
（ｄ）  保存領域内に前記複数の媒体を保管するステップ、
（ｅ）  前記複数の媒体から選択された１つの媒体の上に帯びさせた内容を表すデータを含む、選択された前記１つの媒体に結合したトランスポンダーの前記メモリ内に保存されたデータを、前記複数の媒体から遠隔の位置に運ぶステップ、
（ｆ）  選択された前記１つの媒体に関連する注釈データを、遠隔的に取得するステップ、および
（ｇ）  遠隔的に得られた前記注釈データを、選択された前記１つの媒体に結合した前記トランスポンダーの前記メモリ内に保存するステップ
を含む方法。
【請求項３】
複数の媒体に帯びさせた複数の内容のうちの選択された媒体の仮想注釈のためのシステムであって、
各々がデータを格納するメモリを有する複数のトランスポンダーであって、前記複数の媒体の中の各媒体に関連した少なくとも１つのトランスポンダーを備える複数のトランスポンダー、
前記複数のトランスポンダーとデータを交換するトランシーバー、
各媒体の上に帯びさせた内容を内容データへ変換し、前記トランシーバーに、その内容データを、各媒体に関連した前記少なくとも１つのトランスポンダーの前記メモリ内に保存させる入力システム、および、
前記トランシーバーに、前記複数の媒体の中の少なくとも１つの媒体に関連した前記少なくとも１つのトランスポンダーのメモリから、内容データを取り出させるリモートプロセッサであって、取り出された前記内容データに基づいて、出力を提示する出力装置と、複数の媒体の中の前記少なくとも１つの媒体に対する注釈を受け取り、その注釈を注釈データに変換する注釈入力部とを有しているリモートプロセッサを備え、
さらに前記リモートプロセッサは、前記トランシーバーに、前記複数の媒体の中の少なくとも１つの媒体に関連した、前記少なくとも１つのトランスポンダーの前記メモリ内に、前記注釈データを保存させる
システム。
【手続補正２】
【補正対象書類名】明細書
【補正対象項目名】００１１
【補正方法】変更
【補正の内容】
【００１１】
本発明の１つの態様は、メモリ（３２）を有する媒体（２０）に帯びさせた内容に注釈をつける方法を提供するものである。その方法は、前記媒体の上に帯びさせた前記内容を表すデータを取得すること、および、前記媒体の上に帯びさせた前記内容を表す前記データを前記媒体の前記メモリ内に保存することを含んでいる。前記メモリ内に保存された前記データは、前記媒体から遠隔の位置に運ばれる。さらに、注釈データは前記遠隔の位置から取得される。遠隔的に取得した前記注釈データは前記メモリ内に保存される。
【手続補正３】
【補正対象書類名】明細書
【補正対象項目名】００１２
【補正方法】変更
【補正の内容】
【００１２】
他の態様では、本発明は、内容を帯びさせた複数の媒体に注釈をつける方法を提供し、さらに、メモリを有するトランスポンダーを前記複数の媒体の中の各々の１つの媒体に結合すること、前記複数の媒体の上に帯びさせた前記内容を表すデータを取得すること、各媒体の上に帯びさせた前記内容を表すデータを、その媒体に結合した前記トランスポンダーの前記メモリ内に保存すること、及び、保存領域内に前記複数の媒体を保管することを含んでいる。前記複数の媒体から選択された１つの媒体の上に帯びさせた内容を表すデータを含む、選択された前記１つの媒体に結合したトランスポンダーの前記メモリ内に保存されたデータは、前記複数の媒体から遠隔の位置に運ばれる。選択された前記１つの媒体に関連する注釈データは、遠隔的に取得される。遠隔的に得られた前記注釈データは、選択された前記１つの媒体に結合した前記トランスポンダーの前記メモリ内に保存される。
【手続補正４】
【補正対象書類名】明細書
【補正対象項目名】００１３
【補正方法】変更
【補正の内容】
【００１３】
さらに他の態様では、本発明は、複数の媒体に帯びさせた複数の内容のうちの選択された媒体の仮想注釈のためのシステムを提供する。このシステムは、各々がデータを格納するメモリを有する複数のトランスポンダーであって、前記複数の媒体の中の各媒体に関連した少なくとも１つのトランスポンダーを備える複数のトランスポンダーを有している。トランシーバーは、前記複数のトランスポンダーとデータを交換する。入力システムは、各媒体の上に帯びさせた内容を内容データへ変換し、前記トランシーバーに、その内容データを、各媒体に関連した前記少なくとも１つのトランスポンダーの前記メモリ内に保存させる。リモートプロセッサは、前記トランシーバーに、前記複数の媒体の中の少なくとも１つの媒体に関連した前記少なくとも１つのトランスポンダーのメモリから、内容データを取り出させるリモートプロセッサであって、取り出された前記内容データに基づいて、出力を提示する出力装置と、複数の媒体の中の前記少なくとも１つの媒体に対する注釈を受け取り、その注釈を注釈データに変換する注釈入力部とを有している。さらに前記リモートプロセッサは、前記トランシーバーに、前記複数の媒体の中の少なくとも１つの媒体に関連した、前記少なくとも１つのトランスポンダーの前記メモリ内に、前記注釈データを保存させる。
【手続補正５】
【補正対象書類名】明細書
【補正対象項目名】００１４
【補正方法】変更
【補正の内容】
【００１４】
さらに他の態様では、複数の媒体の中の少なくとも１つの媒体に遠隔的に注釈するためのシステムが提供されており、各媒体はメモリを伴うトランスポンダーを有し、さらに、そのメモリは、その内部に保存された、媒体の上に帯びさせた内容を表す内容データを有している。このシステムは、トランスポンダーとデータを交換するよう適合されたトランシーバーを有している。リモートプロセッサは、トランシーバーに、複数の媒体の中の少なくとも１つに関連する少なくとも１つのトランスポンダーのメモリ内に保存された、内容データを取り出させる。リモートプロセッサには、内容データに基づいて、出力を提示する出力装置を有している。さらにリモートプロセッサは、複数の媒体の少なくとも１つに対して注釈を受け、注釈をデータに変換するための注釈入力部を有している。さらにリモートプロセッサは、トランシーバーに、複数の媒体の少なくとも１つに関連する、少なくとも１つのトランスポンダーのメモリ内の、複数の媒体の中の少なくとも１つに対する注釈を表すデータを保存させる。